(57)【要約】【課題】無線リソース管理部からスケジューラに対して必要な情報を迅速に送る。【解決手段】  無線通信のＭＡＣ層の処理を行うＭＡＣ部３０と、無線リソースの割り当てを決定するスケジューリングを行うスケジューラ１０と、無線リソースの管理を行う無線リソース管理部７０と、を備えている。前記スケジューラ１０は、前記ＭＡＣ部３０を介さずに、前記無線リソース管理部７０から情報を取得できるように、前記無線リソース管理部７０と接続されている。【選択図】図３
2011223102.tif 000002
【特許請求の範囲】
【請求項１】
無線通信のＭＡＣ層の処理を行うＭＡＣ部と、
無線リソースの割り当てを決定するスケジューリングを行うスケジューラと、
無線リソースの管理を行う無線リソース管理部と、
を備え、
前記スケジューラは、前記ＭＡＣ部を介さずに、前記無線リソース管理部から情報を取得できるように、前記無線リソース管理部と接続されている
ことを特徴とする基地局装置。
【請求項２】
前記スケジューラは、前記スケジューリングを行うのに必要とされるスケジューリング用情報を、前記ＭＡＣ部を介さずに、前記無線リソース管理部から取得するよう構成されている
ことを特徴とする請求項１記載の基地局装置。
【請求項３】
前記無線リソース管理部は、基地局間通信インターフェースを介して、基地局装置間で情報のやり取りが行えるよう構成され、
前記スケジューラは、前記無線リソース管理部が前記基地局間通信インターフェースを介して他の基地局装置から取得した情報を、前記スケジューリング用情報として取得する
請求項２記載の基地局装置。
【請求項４】
前記スケジューリング用情報には、セル間干渉を抑制するための干渉制御に用いられる干渉制御情報が含まれ、
前記スケジューラは、前記干渉制御情報を用いて、セル間干渉を抑制するように前記スケジューリングを行う
請求項２又は３に記載の基地局装置。
【請求項５】
前記スケジューラは、無線リソースの割り当て結果を示す割当情報を、前記ＭＡＣ部を介さずに、前記無線リソース管理部に与えるよう構成されている
請求項１〜３のいずれか１項に記載の基地局装置。
【請求項６】
前記無線リソース管理部は、前記スケジューラから取得した前記割当情報を、基地局間通信インターフェースを介して、他の基地局装置に送信するよう構成されている
請求項５記載の基地局装置。
【請求項７】
前記スケジューラは、前記ＭＡＣ部を介さずに、前記ＭＡＣ層の下位層であるＰＨＹ層の処理を行うＰＨＹ部に情報を与えることができるように、前記ＰＨＹ部と接続されている
請求項１〜６のいずれか１項に記載の基地局装置。
【請求項８】
前記スケジューラは、無線リソースの割り当て結果を示す割当情報を、前記ＭＡＣ部を介さずに、前記ＰＨＹ部に与えるよう構成されている
請求項７記載の基地局装置。
【請求項９】
前記スケジューラは、前記ＭＡＣ部を介さずに、前記ＰＨＹ部から情報を取得できるように、前記ＰＨＹ部と接続されている
請求項１〜８のいずれか１項に記載の基地局装置。
【請求項１０】
前記ＰＨＹ部は、前記スケジューリングを行うのに必要とされるスケジューリング用情報を、受信信号から生成するよう構成され、
前記スケジューラは、前記スケジューリング用情報を、前記ＭＡＣ部を介さずに、前記ＰＨＹ部から取得するよう構成されている
請求項９記載の基地局装置。
【請求項１１】
無線通信のＭＡＣ層の処理を行うＭＡＣ部と、
無線リソースの割り当てを決定するスケジューリングを行うスケジューラと、
無線リソースの管理を行う無線リソース管理部と、
を備え、
前記スケジューラは、前記ＭＡＣ部を介さずに、前記無線リソース管理部に情報を与えることができるように、前記無線リソース管理部と接続されている
ことを特徴とする基地局装置。
【請求項１２】
無線通信のＭＡＣ層の処理を行うＭＡＣ部と、
無線通信のＰＨＹ層の処理を行うＰＨＹ部と、
無線リソースの割り当てを決定するスケジューリングを行うスケジューラと、
を備え、
前記スケジューラは、前記ＭＡＣ部を介さずに、前記ＰＨＹ部に情報を与えることができるように、前記ＰＨＹ部と接続されている
ことを特徴とする基地局装置。
【請求項１３】
無線通信のＭＡＣ層の処理を行うＭＡＣ部と、
無線通信のＰＨＹ層の処理を行うＰＨＹ部と、
無線リソースの割り当てを決定するスケジューリングを行うスケジューラと、
を備え、
前記スケジューラは、前記ＭＡＣ部を介さずに、前記ＰＨＹ部から情報を取得できるように、前記ＰＨＹ部と接続されている
ことを特徴とする基地局装置。
【発明の詳細な説明】
【技術分野】
【０００１】
本発明は、基地局装置に関するものである。
【背景技術】
【０００２】
基地局装置は、端末装置に対して割り当てられる無線リソース（周波数や時間など）を決定するためのスケジューリングを行うスケジューラを備えている。
スケジューラは、電波状況などに応じて、各端末への無線リソースの割り当てを適切に決定することができる。
【０００３】
ＬＴＥ（Ｌｏｎｇ  Ｔｅｒｍ  Ｅｖｏｌｕｔｉｏｎ）においては、前記スケジューラは、無線通信のＭＡＣ（Ｍｅｄｉａ  Ａｃｃｅｓｓ  Ｃｏｎｔｒｏｌ；第２レイヤ）の機能、すなわちＭＡＣスケジューラとして構成されることになっている。
【０００４】
ここで、図９は、ＬＴＥにおける基地局装置の無線通信に関する層構造を示している。図９の層構造は、無線通信に関する第１レイヤであるＰＨＹ（Ｐｈｙｓｉｃａｌ  Ｌａｙｅｒ）と、その上位層としてＭＡＣと、を有している。前記スケジューラは、ＭＡＣの一機能である。
【０００５】
ＭＡＣの上位には、ＲＬＣ（Ｒａｄｉｏ  Ｌｉｎｋ  Ｃｏｎｔｒｏｌ）／ＰＤＣＰ（Ｐａｃｋｅｔ  Ｄａｔａ  Ｃｏｎｖｅｒｇｅｎｃｅ  Ｐｒｏｔｏｃｏｌ）が配置される。ＲＬＣ（無線リンク制御）は、信号の再送機能などを有し、ＰＤＣＰ（パケットデータコンバージェンスプロトコル）はセキュリティ機能などを有する（非特許文献１参照）。
【０００６】
さらに、ＲＬＣ／ＰＤＣＰの上位には、ＲＲＣ（Ｒａｄｉｏ  Ｒｅｓｏｕｒｃｅ  Ｃｏｎｔｒｏｌ）、ＲＲＭ（Ｒａｄｉｏ  Ｒｅｓｏｕｒｃｅ  Ｍａｎａｇｅｍｅｎｔ）、ＮＡＳ（Ｎｏｎ−Ａｃｃｅｓｓ  Ｓｔｒａｔｕｍ）が配置される。
このように、ＬＴＥでは、ＲＲＣ（無線リソース制御）やＲＲＭ（無線リソース管理）といった無線リソースの管理に関する機能が、基地局装置に配置されている。
【０００７】
ＭＡＣの上位層に含まれるＲＲＭは、無線リソースの管理を行い、ＭＡＣのスケジューラに対して、スケジューリングに必要とされる情報（スケジューリング用情報）を提供する。ＲＲＭから提供されるスケジューリング用情報としては、ＱｏＳ（Ｑｕａｌｉｔｙ  ｏｆ  Ｓｅｒｖｉｃｅ）情報などがある。
【０００８】
なお、ＭＡＣの下位層であるＰＨＹは、ＣＱＩ（Ｃｈａｎｎｅｌ  Ｑｕａｌｉｔｙ  Ｉｎｄｉｃａｔｏｒ）情報を取得し、そのＣＱＩ情報は、ＭＡＣのスケジューラに対し、スケジューリング用情報として提供されることがある。
【先行技術文献】
【非特許文献】
【０００９】
【非特許文献１】服部武、藤岡雅宣  編著、ＨＳＰＡ＋／ＬＴＥ／ＳＡＥ教科書，株式会社インプレスＲ＆Ｄ，２００９年８月１日発行，ｐｐ１４０
【発明の概要】
【発明が解決しようとする課題】
【００１０】
さて、前記スケジューラによるスケジューリングは、高速で行うことが求められる。例えば、ＬＴＥでは、無線リソースであるリソースブロック（リソース割り当ての最小単位）の割当情報は、各無線サブフレームに格納されており、サブフレームの周期は、１ｍｓｅｃである。
【００１１】
したがって、ＭＡＣ及びＭＡＣ含まれるスケジューラは、サブフレームの周期である１ｍｓｅｃ周期で動作する必要がある。つまり、毎サブフレームのスケジューリングは、１ｍｓｅｃ以内に完了することが望ましく、もし、１ｍｓｅｃ以内でスケジューリングが完了しない場合、適切なスケジューリングが行えなくなるおそれがある。
【００１２】
ここで、前記スケジューラはＭＡＣに含まれているため、ＭＡＣが、ＲＲＭなどの他のレイヤの機能から、スケジューリング用情報を取得し、前記スケジューラは、ＭＡＣが取得したスケジューリング用情報を用いてスケジューリングを行うことになる。
【００１３】
ＭＡＣは、スケジューリング用情報を取り扱う処理以外にも様々な処理を行うものである。したがって、ＭＡＣが、スケジューリング用情報を取り扱う処理をも担うことになると、ＭＡＣの処理負荷が増大する。
ＭＡＣの処理負荷が増大すると、ＭＡＣが、サブフレームの周期である１ｍｓｅｃ周期で動作することが困難となる。その結果、ＭＡＣに配置されたスケジューラが、適切なスケジューリングを行うのが困難となる。
【００１４】
一方、ＭＡＣの処理負荷増大に対処しようとすると、ＭＡＣとしての機能を実現する処理プロセッサのクロック速度を上げる必要があり、基地局装置のコスト増を招く。
【００１５】
本発明は、かかる問題に鑑みてなされたものであって、ＭＡＣの負荷が増大するのを抑制しつつ、スケジューラにおける情報の取り扱いが迅速に行えるようにすることを目的とする。
【課題を解決するための手段】
【００１６】
（１）本発明は、無線通信のＭＡＣ層の処理を行うＭＡＣ部と、無線リソースの割り当てを決定するスケジューリングを行うスケジューラと、無線リソースの管理を行う無線リソース管理部と、を備え、前記スケジューラは、前記ＭＡＣ部を介さずに、前記無線リソース管理部から情報を取得できるように、前記無線リソース管理部と接続されていることを特徴とする基地局装置である。
【００１７】
上記本発明によれば、スケジューラは、ＭＡＣ部を介さずに情報を取得できるため、ＭＡＣ部を経由することによる遅延を回避しつつ、必要な情報を無線リソース管理部から取得することができる。しかも、前記情報は、ＭＡＣ部を経由しないため、ＭＡＣ部の負荷増大を抑制することができる。
【００１８】
（２）前記スケジューラは、前記スケジューリングを行うのに必要とされるスケジューリング用情報を、前記ＭＡＣ部を介さずに、前記無線リソース管理部から取得するよう構成されているのが好ましい。この場合、スケジューラは、ＭＡＣ部を介さずに、無線リソース管理部からスケジューリング用情報を取得することができる。
【００１９】
（３）前記無線リソース管理部は、基地局間通信インターフェースを介して、基地局装置間で情報のやり取りが行えるよう構成され、前記スケジューラは、前記無線リソース管理部が前記基地局間通信インターフェースを介して他の基地局装置から取得した情報を、前記スケジューリング用情報として取得するのが好ましい。この場合、他の基地局装置から取得した情報を用いたスケジューリングを行うことができる。
【００２０】
（４）前記スケジューリング用情報には、セル間干渉を抑制するための干渉制御に用いられる干渉制御情報が含まれ、前記スケジューラは、前記干渉制御情報を用いて、セル間干渉を抑制するように前記スケジューリングを行うのが好ましい。この場合、スケジューラは、干渉を抑制するようにスケジューリングを行うことができる。
【００２１】
（５）前記スケジューラは、無線リソースの割り当て結果を示す割当情報を、前記ＭＡＣ部を介さずに、前記無線リソース管理部に与えるよう構成されているのが好ましい。この場合、スケジューラは、ＭＡＣ部を介さずに、割当情報を迅速に無線リソース管理部に与えることができる。
【００２２】
（６）前記無線リソース管理部は、前記スケジューラから取得した前記割当情報を、基地局間通信インターフェースを介して、他の基地局装置に送信するよう構成されているのが好ましい。この場合、無線リソース管理部が、ＭＡＣ部を介さずに、迅速に取得した割当情報を他の基地局装置に送信することができる。したがって、他の基地局装置は、迅速に割当情報を取得することができる。
【００２３】
（７）前記スケジューラは、前記ＭＡＣ部を介さずに、前記ＭＡＣ層の下位層であるＰＨＹ層の処理を行うＰＨＹ部に情報を与えることができるように、前記ＰＨＹ部と接続されているのが好ましい。この場合、スケジューラは、ＭＡＣ部を介さずに、必要な情報を迅速にＰＨＹ部へ与えることができる。
【００２４】
（８）前記スケジューラは、無線リソースの割り当て結果を示す割当情報を、前記ＭＡＣ部を介さずに、前記ＰＨＹ部に与えるよう構成されているのが好ましい。この場合、スケジューラは、ＭＡＣ部を介さずに、割当情報を迅速にＰＨＹ部に与えることができる。
【００２５】
（９）前記スケジューラは、前記ＭＡＣ部を介さずに、前記ＰＨＹ部から情報を取得できるように、前記ＰＨＹ部と接続されているのが好ましい。この場合、スケジューラは、ＭＡＣ部を介さずに、必要な情報を迅速にＰＨＹ部から取得することができる。
【００２６】
（１０）前記ＰＨＹ部は、前記スケジューリングを行うのに必要とされるスケジューリング用情報を、受信信号から生成するよう構成され、前記スケジューラは、前記スケジューリング用情報を、前記ＭＡＣ部を介さずに、前記ＰＨＹ部から取得するよう構成されているのが好ましい。この場合、スケジューラは、ＰＨＹ部が生成したスケジューリング情報を迅速にＰＨＹ部から取得することができる。
【００２７】
（１１）他の観点からみた本発明は、無線通信のＭＡＣ層の処理を行うＭＡＣ部と、無線リソースの割り当てを決定するスケジューリングを行うスケジューラと、無線リソースの管理を行う無線リソース管理部と、を備え、前記スケジューラは、前記ＭＡＣ部を介さずに、前記無線リソース管理部に情報を与えることができるように、前記無線リソース管理部と接続されていることを特徴とする基地局装置である。
上記本発明によれば、スケジューラは、ＭＡＣ部を介さずに、必要な情報を迅速に無線リソース管理部に与えることができる。
【００２８】
（１２）他の観点からみた本発明は、無線通信のＭＡＣ層の処理を行うＭＡＣ部と、無線通信のＰＨＹ層の処理を行うＰＨＹ部と、無線リソースの割り当てを決定するスケジューリングを行うスケジューラと、を備え、前記スケジューラは、前記ＭＡＣ部を介さずに、前記ＰＨＹ部に情報を与えることができるように、前記ＰＨＹ部と接続されていることを特徴とする基地局装置である。
上記本発明によれば、スケジューラは、ＭＡＣ部を介さずに、必要な情報を迅速にＰＨＹ部に与えることができる。
【００２９】
（１３）他の観点からみた本発明は、無線通信のＭＡＣ層の処理を行うＭＡＣ部と、無線通信のＰＨＹ層の処理を行うＰＨＹ部と、無線リソースの割り当てを決定するスケジューリングを行うスケジューラと、を備え、前記スケジューラは、前記ＭＡＣ部を介さずに、前記ＰＨＹ部から情報を取得できるように、前記ＰＨＹ部と接続されていることを特徴とする基地局装置である。
上記本発明によれば、スケジューラは、ＭＡＣ部を介さずに、必要な情報を迅速にＰＨＹ部から取得することができる。
【発明の効果】
【００３０】
本発明によれば、ＭＡＣへの負荷が増大するのを抑制しつつ、スケジューラにおける情報の取り扱いを迅速に行うことができる。
【図面の簡単な説明】
【００３１】
【図１】本発明の実施形態に係る基地局装置を備えた無線通信システムの構成を示す概略図である。
【図２】ＬＴＥのＤＬフレーム構造を示す概略図である。
【図３】基地局装置の構成を示すブロック図である。
【図４】基地局装置における情報の流れを説明する図である。
【図５】ＭＡＣスケジューラのスケジューラ本体部を示す図である。
【図６】データ情報スケジューラを示す図である。
【図７】ＶｏＩＰスケジューラを示す図である。
【図８】電力割り当て例を示す図である。
【図９】基地局装置の層構造図である。
【発明を実施するための形態】
【００３２】
以下、本発明の好ましい実施形態について図面を参照しながら説明する。
図１は、本発明の実施形態に係る基地局装置を備えた無線通信システムの構成を示している。本実施形態の無線通信システムは、例えば、ＬＴＥ（Ｌｏｎｇ  Ｔｅｒｍ  Ｅｖｏｌｕｔｉｏｎ）が適用される携帯電話用のシステムであり、各基地局装置と、端末装置との間において、ＬＴＥに準拠した通信が行われる。ただし、通信方式は、ＬＴＥに限られるものではない。
【００３３】
この無線通信システムは、複数の基地局装置１を備えている。端末装置２（移動端末；Ｍｏｂｉｌｅ  Ｓｔａｔｉｏｎ）は、いずれかの基地局装置１に対して無線接続して、通信を行うことができる。
【００３４】
前記無線通信システムが備える基地局装置１としては、例えば数キロメートルの大きさの通信エリア（マクロセル）ＭＣを形成するマクロ基地局装置（Ｍａｃｒｏ  Ｂａｓｅ  Ｓｔａｔｉｏｎ）１ａのほか、マクロセルＭＣ内などに設置され数十メートル程度の比較的小さなフェムトセルＦＣを形成する複数のフェムト基地局装置（Ｆｅｍｔｏ  Ｂａｓｅ  Ｓｔａｔｉｏｎ）１ｂが設けられている。
【００３５】
マクロ基地局装置（以下、「マクロＢＳ」ともいう。）１ａは、自己のマクロセルＭＣ内にある端末装置２との間で無線通信を行うことができる。
また、フェムト基地局装置（以下、「フェムトＢＳ」ともいう）１ｂは、例えば、屋内等、マクロＢＳ１ａの無線波を受信し難い場所等に配置され、上記フェムトセルＦＣを形成する。
【００３６】
フェムトＢＳ１ｂは、自己が形成するフェムトセルＦＣ内にある端末装置（以下、「ＭＳ」ともいう）２との間で無線通信が可能である。本システムでは、マクロＢＳ１ａの無線波が受信し難い場所等においても、その場所に比較的小さいフェムトセルＦＣを形成するフェムトＢＳ１ｂを設置することで、ＭＳ２に対して十分なスループットでのサービスの提供を可能にする。
なお、以下の説明では、フェムトＢＳ１ｂに接続するＭＳ２をフェムトＭＳ２ｂともいい、マクロＢＳ１ａに接続するＭＳ２をマクロＭＳ２ａともいう。
【００３７】
複数の基地局装置１ａ，１ｂ，１ｂは、Ｘ２インターフェースと呼ばれる基地局間通信インターフェースによって、情報交換が可能となっている。この基地局間通信インターフェースは、有線ネットワークによって構成されており、後述のスケジューリング用情報を一の基地局装置から他の基地局装置へ送信するため等に用いられる。
【００３８】
ＬＴＥでは、周波数分割複信（ＦＤＤ）方式が採用されており、上り信号（端末装置から基地局装置への送信信号）と、下り信号（基地局装置から端末装置への送信信号）との間で、互いに異なる使用周波数を割り当てることで、上り通信と下り通信とを同時に行うことができる。
【００３９】
複数の異なるセルであっても、同じ周波数を使って通信することがあるため、複数のセル間（特にマクロセルＭＣとフェムトセルＦＣとの間）では、セル間干渉が生じることがある。セル間干渉とは、ある基地局装置からの送信信号が、他の基地局装置に接続する端末装置への干渉信号となったり、ある基地局装置に接続する端末装置からの送信信号が他の基地局装置への干渉信号となったりすることである。
【００４０】
このようなセル間干渉は、比較的大きなマクロセルＭＣ内に、数十メートル程度の比較的小さなフェムトセルＦＣを形成するフェムトＢＳ１ｂを設置した場合に、特に生じやすい。これは、マクロセルＭＣとフェムトセルＦＣとが重複して位置するため、マクロセルＭＣとフェムトセルＦＣとの間で相互に信号が届きやすい状態となっているからである。
【００４１】
前記セル間干渉の抑制のため、自セルでは、他セルでは使用されていない周波数を使用したり、自セルの基地局装置又は端末装置から送信される信号の電力（送信電力）の大きさ制限して、他セルへ信号が届きにくくなるようにしたりすることが考えられる。後述のＭＡＣスケジューラでは、前記セル間干渉の抑制をも図るように、周波数の割り当てを行う。このＭＡＣスケジューラによるスケジューリング機能の詳細は後述する。
【００４２】
図２は、ＬＴＥの下りリンクの無線フレーム（ＤＬフレーム））の構造を示している。１つのＤＬフレームは、１０個のサブフレームを時間軸方向に並べて構成されている（なお、図２は、１つのＤＬフレームの一部を示している）。１個のサブフレームは、時間軸方向に１４ＯＦＤＭシンボル分の長さ（＝１ｍｓｅｃ）を有している。
【００４３】
各サブフレームは、その先頭に、制御情報（Ｃｏｎｔｒｏｌ  Ｉｎｆｏｒｍａｔｉｏｎ）が格納される制御領域を有し、その後に、ユーザデータが格納されるＰＤＳＣＨ（ＰＤＳＣＨ：Ｐｈｙｓｉｃａｌ  Ｄｏｗｎｌｉｎｋ  Ｓｈａｒｅｄ  Ｃｈａｎｎｅｌ）が確保される。
【００４４】
前記制御領域には、下り及び上りリンクの割当情報等を含む下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）が確保される。上記ＰＤＣＣＨは、前記割当情報のほか、上り送信電力制限値の情報や、下りのＣＱＩ（Ｃｈａｎｎｅｌ  Ｑｕａｌｉｔｙ  Ｉｎｄｉｃａｔｏｒ）についての報告の指示等に関する情報を含んでいる。なお、ＰＤＣＣＨの大きさは、制御情報の大きさに応じて変化する。
【００４５】
なお、制御領域には、ＰＤＣＣＨのほか、ＰＤＣＣＨに関する情報を通知するための制御チャネル構成指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＵＳＣＨに対するハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）の受信成功通知（ＡＣＫ：Ａｃｋｎｏｗｌｅｄｇｅｍｅｎｔ）、受信失敗通知（ＮＡＣＫ：Ｎｅｇａｔｉｖｅ  Ａｃｋｎｏｗｌｅｄｇｅｍｅｎｔ）を送信するためのハイブリッドＡＲＱ指示チャネル（ＰＨＩＣＨ：Ｐｈｙｓｉｃａｌ  Ｈｙｂｒｉｄ−ＡＲＱ  Ｉｎｄｉｃａｔｏｒ  Ｃｈａｎｎｅｌ）も割り当てられる。
【００４６】
ユーザデータ等が格納されるＰＤＳＣＨは、複数の端末装置で共有して用いられるエリアであり、ユーザデータの他、各端末装置個別の制御情報等も格納される。
このＰＤＳＣＨは、データ伝送の上での基本単位領域（リソース割り当ての最小単位）であるリソースブロック（ＲＢ：Ｒｅｓｏｕｒｃｅ  Ｂｌｏｃｋ）を複数有して構成されている。リソースブロックは、周波数軸方向に１２サブキャリア、時間軸方向に７ＯＦＤＭシンボル分の大きさを有している。
【００４７】
ＤＬフレームの周波数帯域幅が１０ＭＨｚに設定されている場合、６０１個のサブキャリアが配列される。したがって、１つのサブフレーム中に、リソースブロックは、周波数軸方向に５０個配置されることになり、１つのサブフレーム中における時間軸方向のリソースブロックの数は２個となる。
【００４８】
基地局装置１は、無線リソースであるリソースブロックの端末装置への割り当て及びリソースブロック毎の送信電力値を決定する電力割り当てスケジューリング機能を有している。また、ＬＴＥの上りリンクの無線フレーム（ＵＬフレーム））も、ＤＬフレームと同様に、複数のリソースブロックを有しており、ＤＬフレームのリソースブロックの端末装置への割り当ても、基地局装置１によって決定される。
【００４９】
基地局装置１が決定した下り及び上りのリソースブロック割り当ては、割当情報としてＰＤＣＣＨに格納され、基地局装置１から端末装置２へ送信される。基地局装置１及び端末装置２は、決定された割り当て情報に従って、リソースブロックを使用して通信を行う。
【００５０】
図３は、基地局装置１の構成を示している。この基地局装置の構成は、フェムトＢＳ１ｂのための構成として好適であるが、マクロＢＳ１ａに適用することもできる。
図３に示すように、基地局装置１は、無線通信のＭＡＣ層に関する処理を行うＭＡＣ部３０と、ＭＡＣ層の下位層である物理層（ＰＨＹ層）に関する処理を行うＰＨＹ部２０と、を有している。
【００５１】
本実施形態に基地局装置１は、ＭＡＣ部３０とは別に、独立したＭＡＣスケジューラ１０を備えている。このＭＡＣスケジューラ１０は、スケジューリング用情報を用いて、複数のリソースブロックのうち、どのリソースブロックをどの端末に割り当てるかを決定するとともに、各リソースブロックについての送信電力値を決定する。
【００５２】
このＭＡＣスケジューラ１０は、ＭＡＣ部３０と接続されており、ＭＡＣ部３０との間で必要な情報のやり取りが行える。
例えば、ＭＡＣスケジューラ１０は、ＭＡＣ部３０から、Ｃｏｍｍｏｎ  ＣＨとＤｅｄｉｃａｔｅｄ  ＣＨのＢｕｆｆｅｒ  Ｏｃｃｕｐａｎｃｙ、及び、ＵＬサブフレームのＣｏｎｔｒｏｌ  Ｅｌｅｍｅｎｔ、を受信する。
また、ＭＡＣスケジューラ１０は、ＭＡＣ部３０に対して、スケジューリング済みの端末装置の情報を送信する。
【００５３】
ＭＡＣスケジューラ１０は、ＭＡＣ部３０を介さずに、ＰＨＹ部２０との間での情報のやり取りが行えるように接続されている。
例えば、ＭＡＣスケジューラ１０は、ＴＴＩ  ｉｎｄｉｃａｔｉｏｎ、ＲＡ（Ｒａｎｄｏｍ  Ａｃｃｅｓｓ）  Ｒｅｑｕｅｓｔ  Ｉｎｄｉｃａｔｉｏｎ、  ＨＡＲＱ  ｆｅｅｄｂａｃｋ  Ｉｎｄｉｃａｔｉｏｎ、ＳＲ（Ｓｃｈｅｄｕｌｉｎｇ  Ｒｅｑｕｅｓｔ）  Ｉｎｄｉｃａｔｉｏｎ、  ＤＬ  ＣＱＩ  Ｉｎｄｉｃａｔｉｏｎ、  ＵＬ  ＣＱＩ  Ｉｎｄｉｃａｔｉｏｎ、及び、Ｔｉｍｉｎｇ  Ａｄｖａｎｃｅ  Ｉｎｄｉｃａｔｉｏｎ、をＰＨＹ部２０から受信する。
【００５４】
また、ＭＡＣスケジューラ１０は、次のＤＬサブフレームのための制御情報（ＰＤＣＣＨ，ＰＣＦＩＣＨ，ＰＨＩＣＨ）、及び、次のＵＬサブフレームのための受信要求、をＰＨＹ部２０に対して送信する際に、ＭＡＣ部３０を介さずに、直接、ＰＨＹ部２０に送信する。
【００５５】
このように、ＭＡＣスケジューラ１０は、ＭＡＣ部３０と情報交換可能に接続されているほか、ＭＡＣ部３０を介さずにＰＨＹ部２０とも情報交換可能に接続されている。
ＭＡＣ部３０を介さずに、ＭＡＣスケジューラ１０とＰＨＹ部２０との間で情報をやり取りすると、ＭＡＣ部３０を経由することによる遅延がなくなり、迅速にやり取りを行うことができる。また、ＭＡＣ部３０を経由する情報量が低下することにより、ＭＡＣ部３０の処理負荷を軽減できる。
【００５６】
ＭＡＣ部３０の上位には、ＲＬＣ（Ｒａｄｉｏ  Ｌｉｎｋ  Ｃｏｎｔｒｏｌ）４０、ＰＤＣＰ（Ｐａｃｋｅｔ  Ｄａｔａ  Ｃｏｎｖｅｒｇｅｎｃｅ  Ｐｒｏｔｏｃｏｌ）５０、ＲＲＣ（Ｒａｄｉｏ  Ｒｅｓｏｕｒｃｅ  Ｃｏｎｔｒｏｌ）６０、及び、ＲＲＭ（Ｒａｄｉｏ  Ｒｅｓｏｕｒｃｅ  Ｍａｎａｇｅｍｅｎｔ）７０が配置されている。
【００５７】
ＲＲＭ（無線リソース管理部）７０は、ＰＨＹ制御７１、Ｃ−ＰＬＡＮＥ制御７２、及び、Ｕ−ＰＬＡＮＥ制御７３などの機能を有している。
【００５８】
また、ＲＲＭ（無線リソース管理部）７０は、ＭＡＣスケジューラ１０に与えるスケジューリング用情報（Ｓｃｈｅｄｕｌｅ  Ｉｎｆｏｒｍａｔｉｏｎ）を生成・管理するスケジュール情報管理部７４を備えている。このスケジュール情報管理部７４は、スケジューリングに必要とされるスケューリング用情報のうち、Ｘ２情報、ＱｏＳ情報、ＣＱＩ情報の取得、生成、管理、及び送信を行う。
さらに、ＲＲＭ７０は、他の基地局装置との基地局間通信インターフェースであるＸ２インターフェース７５を介して、他の基地局装置と通信可能になっている。
【００５９】
前記ＭＡＣスケジューラ１０は、ＭＡＣ部３０を介さずに、ＲＲＭ７０（のスケジュール情報管理部７４）との間で情報のやり取りが行えるように接続されている。
例えば、ＭＡＣスケジューラ１０は、ＲＲＭ７０から、Ｃｅｌｌ  Ｃｏｎｆｉｇ情報、ＵＥ（Ｕｓｅｒ  Ｅｑｕｉｐｍｅｎｔ；端末装置）  ｃｏｎｆｉｇ情報、及び、ＬＣＨ（Ｌｏｇｉｃａｌ  Ｃｈａｎｎｅｌ）  ｃｏｎｆｉｇ情報、を受信する。
【００６０】
前記Ｃｅｌｌ  Ｃｏｎｆｉｇ情報は、セルクリエイト時に、ＭＡＣスケジューラ１０がＲＲＭ７０から受信するものである。
前記Ｃｅｌｌ  Ｃｏｎｆｉｇ情報は、Ｂａｎｄｗｉｄｔｈ情報、ＵＬ  Ｓｕｂｂａｎｄ情報、ＲＡ  ｃｏｎｆｉｇ、ＳＲＳ（Ｓｏｕｎｄｉｎｇ  Ｒｅｆｅｒｅｎｃｅ  Ｓｉｇｎａｌ）  ｃｏｎｆｉｇ、及び、Ｓｙｓｔｅｍ  Ｉｎｆｏｒｍａｔｉｏｎ  Ｃｏｎｆｉｇなどの情報を含んでいる。
【００６１】
前記ＵＥ  ｃｏｎｆｉｇ情報は、端末装置２のＲＲＣコネクション確立時に、ＭＡＣスケジューラ１０がＲＲＭ７０から受信するものである。
前記ＵＥ  ｃｏｎｆｉｇ情報は、ＲＮＴＩ（Ｒａｄｉｏ  Ｎｅｔｗｏｒｋ  Ｔｅｍｐｏｒａｒｙ  Ｉｄｅｎｔｉｆｉｅｒ）、ＤＲＸ（Ｄｉｓｃｏｎｔｉｎｕｏｕｓ  Ｒｅｃｅｐｔｉｏｎ）  ｃｏｎｆｉｇ、ＴｉｍｅＡｌｉｇｎｍｅｎｔＴｉｍｅｒ、ｍｅａｓｕｒｅｍｅｎｔ  Ｇａｐ  Ｐａｔｔｅｒｎ、Ｓｅｍｉ  Ｐｅｒｓｉｓｔｅｎｔ  Ｓｃｈｅｄｕｌｉｎｇ  Ｃｏｎｆｉｇ、ＳＲ  ｃｏｎｆｉｇ、ＣＱＩ  ｃｏｎｆｉｇ、及び、ＨＡＲＱ  ｃｏｎｆｉｇなどの情報を含んでいる。
【００６２】
前記ＬＣＨ  ｃｏｎｆｉｇ情報は、端末装置の無線ベアラ（Ｒａｄｉｏ  Ｂｅａｒｅ）確立時に、ＭＡＣスケジューラ１０がＲＲＭ７０から受信するものである。
前記ＬＣＨ  ｃｏｎｆｉｇ情報は、Ｌｏｇｉｃａｌ  ＣＨ  Ｇｒｏｕｐ  Ｃｏｎｆｉｇ、及び、ＱｏＳ（Ｑｕａｌｉｔｙ  ｏｆ  Ｓｅｒｖｉｃｅ）情報などの情報を含んでいる。
【００６３】
前記ＱｏＳ情報には、ＱＣＩ（ＱｏＳ  Ｃｌａｓｓ  Ｉｎｄｉｃａｔｏｒ）、ＧＢＲ（Ｇｕａｒａｎｔｅｅｄ  ｂｉｔ  ｒａｔｅ）、及び、ＭＢＲ（Ｍａｘｉｍｕｍ  Ｂｉｔ  Ｒａｔｅ）が含まれる。
【００６４】
なお、ＭＡＣスケジューラ１０がＲＲＭ７０から受信する上記情報について、必要であれば、３ＧＰＰ  ＴＳ３６．３３１  ｖ８．５０  ６．３．２章“Ｒａｄｉｏ  Ｒｅｓｏｕｒｃｅ  Ｃｏｎｔｒｏｌ  ｉｎｆｏｒｍａｔｉｏｎ  ｅｌｅｍｅｎｔ”を参照のこと。
【００６５】
また、ＭＡＣスケジューラ１０は、割り当て結果を示す情報を、ＭＡＣ部３０を介さずに、直接、ＲＲＭ７０に送信することができる。
【００６６】
このように、ＭＡＣスケジューラ１０は、ＭＡＣ部３０を介さずに、ＲＲＭ（無線リソース管理部）７０との間で情報交換可能に接続されている。
ＭＡＣ部３０を介さずに、ＭＡＣスケジューラ１０とＲＲＭ７０との間で情報をやり取りすると、ＭＡＣ部３０を経由することによる遅延がなくなり、迅速にやり取りを行うことができる。また、ＭＡＣ部３０を経由する情報量が低下することにより、ＭＡＣ部３０の処理負荷を軽減できる。
【００６７】
つまり、図４の矢印Ａで示すように、ＭＡＣ部３０を介して、ＭＡＣスケジューラ１０とＲＲＭ７０との間で情報（スケジューリング用情報）のやり取りを行う場合、やり取りされる情報は、ＭＡＣ部３０及びその他の機能ブロックを通過するために時間を要する。また、情報を通過させる処理のため、ＭＡＣ部３０等への処理負荷が増加する。
【００６８】
これに対し、図４の矢印Ｂで示すように、ＭＡＣ部３０を介さずに、ＭＡＣスケジューラ１０とＲＲＭ７０との間で、直接、情報（スケジューリング用情報）のやり取りを行う場合、迅速に行え、しかもＭＡＣ部３０の処理負荷を軽減できる。この結果、ＭＡＣ部３０を構成する処理プロセッサは比較的低速でもよく、コスト低減を図ることができる。
【００６９】
しかも、図４の構成において、ＭＡＣスケジューラ１０とＲＲＭ７０との間でスケジューリング用情報（Ｓｃｈｅｄｕｌｅ  Ｉｎｆｏｒｍａｔｉｏｎ）を、直接、やり取りしない場合には、スケジューリング用情報を、ＲＲＭ７０とＭＡＣ部３０の両方に持つ必要がある。この場合、ＲＲＭ７０及びＭＡＣ部３０それぞれにあるスケジューリング用情報の排他制御が必要となり、排他制御に関するオーバヘッドが生じる。
そのため、ＭＡＣ部３０を構成する処理プロセッサの高速化が必要となるが、ＭＡＣスケジューラ１０とＲＲＭ７０との間で直接やり取りすることで、これを回避することができる。
【００７０】
前記ＭＡＣスケジューラ１０は、複数のリソースブロックのうち、どのリソースブロックをどの端末に割り当てるかを決定するとともに、各リソースブロックについての送信電力値を決定するスケジューラ本体部１１を有している。
このスケジューラ本体部１１は、所定のスケジューリングアルゴリズムに従って、スケジューリングを行うよう構成されている。
【００７１】
図５に示すように、スケジューラ本体部１１には、スケジューリング用情報として、端末別優先度αｎ、端末別規定スループットβｎ、ＣＱＩ情報γｋｎ、電力制限情報Ｐｎが入力される。
そして、スケジューラ本体部１１は、スケジューリングの結果として、ＰＤＣＣＨのシンボル数、各端末装置へのリソースブロック割り当て情報Ｓｋ、及び各リソースブロックの送信電力値ｐｋｎを出力する。
【００７２】
なお、ｋは、端末装置（ユーザ）の番号であり、ｋ＝１〜Ｋ（Ｋは自セル内の端末装置の数）である。Ｓｋは、ｋ番目の端末装置に割り当てられるリソースブロックの集合を表す。また、ｎは、リソースブロックの番号であり、ｎ＝１〜Ｎ（Ｎは全リソースブロック数）である。ｐｋｎは、ｋ番目の端末装置に対し割り当てられたリソースブロックのうち、ｎ番目のリソースブロックの送信電力値を示している。
【００７３】
スケジューラ本体部１１から出力されたスケジューリングの結果（ＰＤＣＣＨのシンボル数、Ｓｋ、ｐｋｎ）は、適応変調制御部１２に出力される。
スケジューラ本体部１１からＳｋ及びｐｋｎを受け取った適応変調制御部１２は、それらの情報Ｓｋ及びｐｋｎに基づいて、各端末装置に対し、変調方式（符号化率を含む）を適応的に決定する。
【００７４】
ＭＡＣスケジューラ１０は、スケジューラ本体部１１によって決定された割り当て及び送信電力、並びに適応変調制御部１２によって決定された変調方式を示す情報を、ＭＡＣ部３０を介さずに、ＰＨＹ部２０に対して送信する。
【００７５】
また、ＰＨＹ部２０には、ＭＡＣ部３０のデータバッファ３１に蓄積されたデータが、変調等のために与えられる。データバッファ３１は、上位層から送信すべきデータを受け取って蓄え、リソースブロックの割り当て結果に応じて、必要なデータを、ＰＨＹ部２０に対して送出する。
【００７６】
データバッファ３１からＰＨＹ部２０へのデータ送出タイミングの制御のため、ＭＡＣスケジューラ１０からＭＡＣ部３０に対して、スケジューリング結果として、リソースブロックが割り当てられた端末装置の情報が与えられる。ＭＡＣ部３０では、データを送信すべき端末装置に、リソースブロックが割り当てられたことを把握すると、そのデータをデータバッファ３１からＰＨＹ部２０に対して送出する。
【００７７】
ＰＨＹ部２０は、ＭＡＣ部３０のデータバッファ３１から与えられたデータに対して、ＭＡＣスケジューラ１０の割り当て結果等を示す情報に従って、リソースブロックの割り当て、送信電力の調整、データの変調を実際に行う。
【００７８】
このように、ＭＡＣ部３０では、ＭＡＣスケジューラ１０におけるスケジューリング結果に基づいて、データバッファ３１からデータを送出するだけでよく、スケジューリング自体を行う必要がないので、処理負荷が軽減されている。
しかも、スケジューラ本体部１１によって決定された割り当て及び送信電力、並びに適応変調制御部１２によって決定された変調方式を示す情報は、ＭＡＣ部３０を介さずに、ＰＨＹ部２０に与えられるため、この点からも、ＭＡＣ部３０の処理負荷が軽減されている。
【００７９】
さらに、スケジューラ本体部１１によって決定された割当情報Ｓｋ及び送信電力ｐｋｎなどのスケジューリング結果は、ＭＡＣスケジューラ１０から、ＭＡＣ部３０を介さずに、ＲＲＭ７０に与えられる。
ＲＲＭ７０が受け取った前記スケジューリング結果Ｓｋ，ｐｋｎ及び他の基地局装置における干渉抑制制御に利用できるその他の情報は、基地局間通信インターフェースであるＸ２インターフェースを介して、他の基地局装置１に送信される。
【００８０】
スケジューリング結果Ｓｋ，ｐｋｎ及び前記その他の情報を、Ｘ２インターフェースを介して受信した他の基地局装置は、受信した情報を用いて、使用してもセル間干渉が生じないリソースブロックを使用したり、使用するとセル間干渉を生じるおそれのあるリソースブロックの送信電力を抑えたりするといった、干渉抑制制御を行うことができる。
【００８１】
前記他の基地局装置が、干渉抑制制御を適切に行うには、スケジューリング結果Ｓｋ，ｐｋｎ及び前記その他の情報は、可能な限り迅速に送られるのが好ましい。本実施形態では、スケジューリング結果Ｓｋ，ｐｋｎは、ＭＡＣスケジューラ１０から、ＭＡＣ部３０を介さずに、直接ＲＲＭ７０に与えられるため、ＭＡＣ部３０を経由する場合によりも迅速に情報を他の基地局装置に送信することができる。
【００８２】
さて、前記スケジューラ本体部１１は、端末装置毎の優先度αｋ（ｋ：１〜Ｋ）、端末装置毎の規定スループットβｋ（ｋ：１〜Ｋ）、各端末装置についてのリソースブロック毎の通信品質値γｋｎ（ｋ：１〜Ｋ，ｎ：１〜Ｎ）といった情報（スケジューリング用情報）を用いて、リソースブロックの最適な割り当てを決定する。
【００８３】
スケジューラ本体部１１は、端末装置毎の優先度αｋを、ＭＡＣスケジューラ１０に設けられたＱｏＳ（Ｑｕａｌｉｔｙ  ｏｆ  Ｓｅｒｖｉｃｅ）制御部１４から取得する。ＱｏＳ制御部１４は、上位層から取得したアプリケーション情報や、ＭＡＣ部３０のデータバッファ３１から取得したデータ遅延情報に基づいて、端末装置毎の優先度αｋを生成する。この優先度αｋは、端末装置に割り当てられるリソースブロックの数を左右するものである。つまり、スケジューラ本体部１１は、優先度αｋの値が大きい端末装置には、より多くのリソースブロックを割り当て、優先度αｋの値が小さい端末装置には、より少ないリソースブロックを割り当てることになる。
【００８４】
スケジューラ本体部１１は、端末装置毎の規定スループットβｋも、ＱｏＳ制御部１４から取得する。規定スループットβｋは、端末装置別に要求されるスループットの規定値であり、ＱｏＳ制御部１４は、上位層から取得したアプリケーション情報や、データバッファ３１から取得したデータ遅延情報に基づいて、規定スループットβｋを生成する。
【００８５】
Ｑｏｓ制御部１４は、優先度αｋや規定スループットβｋを生成するための情報（かかる情報も「スケジューリング用情報」である）を、主に、ＭＡＣ部３０から取得する。
【００８６】
スケジューラ本体部１１は、各端末装置についてのリソースブロック毎の通信品質値γｋｎを、ＭＡＣスケジューラ１０に設けられたＣＱＩ情報制御部１５から取得する。ここでの通信品質値γｋｎは、ＣＱＩである。ＣＱＩ情報制御部１５は、上り及び下りリンクにおける各リソースブロックの通信品質を示すＣＱＩ（Ｃｈａｎｎｅｌ  Ｑｕａｌｉｔｙ  Ｉｎｄｉｃａｔｏｒ）情報に基づいて、通信品質値γｋｎを生成する。なお、上りリンクのＣＱＩは基地局装置１自身が測定することで取得でき、下りリンクのＣＱＩは端末装置が測定したものを基地局装置が受け取ることで取得できる。なお、ＣＱＩは、例えば、ＳＩＮＲ（Ｓｉｇｎａｌ  ｔｏ  Ｉｎｔｅｒｆｅｒｅｎｃｅ  ａｎｄ  Ｎｏｉｓｅ  ｐｏｗｅｒ  Ｒａｔｉｏ）に基づいて生成することができる。
【００８７】
通信品質が良好であれば、通信速度を高くすることができ、同じ数のリソースブロックを割り当てた場合であっても、通信品質が悪い場合に比べて、多くのデータを送信することができる。
【００８８】
ＣＱＩ情報制御部は、通信品質値γｋｎを生成するための情報 （かかる情報も「スケジューリング用情報」である）として自セルの上り及び下りのＣＱＩを、ＭＡＣ部３０を介さずに、ＰＨＹ部２０から取得する。
【００８９】
スケジューラ本体部１１は、リソースブロック毎の送信電力制限値（電力制限情報）Ｐｎ（ｎ：１〜Ｎ）を、ＭＡＣスケジューラ１０に設けられた電力制限制御部１６から取得する。ここでの送信電力制限値Ｐｎは、基地局装置自身又は端末装置から送信される信号の送信電力の上限値を、リソースブロック毎に規定するものである（下限値も規定してもよい）。
【００９０】
送信電力の制限は、他セル（の基地局装置又は端末装置）に対して干渉を与えるのを防止するためのものである。つまり、他セルにおいて使用されているリソースブロックを、自セルにおいても使用すると、自セルの基地局装置又は端末装置から送信された信号が、他セルにおいて干渉信号となるおそれがあるため、送信電力は低く抑えるべきである。一方、他セルにおいて使用されていないリソースブロックについては、送信電力を大きくしてスループットを高くすることが可能である。
【００９１】
このため、他セルにおけるリソースブロックの使用状況に応じて、送信電力を異ならせることが、干渉を防止しつつ、効率的な通信を行う上で望まれる。もっとも、各リソースブロックにおける送信電力値ｐｋｎは、干渉抑制の観点だけで決定されるものではない。そこで、本実施形態の電力制限制御部１６では、各リソースブロックの実際の送信電力値ｐｋｎを決定するのではなく、他セルへ干渉を与えない大きさに実際の送信電力値ｐｋｎが抑えられるように、送信電力値の上限値（送信電力制限値）Ｐｎをリソースブロック毎に設定する。
【００９２】
そして、スケジューラ本体部１１では、送信電力制限値（上限値）Ｐｎの範囲内で、各リソースブロックの送信電力値ｐｋｎを調整し、リソースブロック毎の送信電力値ｐｋｎの調整を含めたリソースブロック割り当てを行う。
【００９３】
電力制限制御部１６は、リソースブロック毎の送信電力制限値（電力制限情報）Ｐｎを生成するため、ＣＱＩ情報制御部１５、Ｘ２情報制御部１７、ＰＨＹ測定情報制御部１８などから、リソースブロック毎の干渉制御情報（干渉電力情報）を取得し、取得した干渉制御情報に基づいて、リソースブロック毎の送信電力制限値Ｐｎを決定する。
【００９４】
本実施形態において前記干渉制御情報には、他セルから干渉を受けた場合の被干渉電力情報と、他セルに対して干渉を与えた場合の与干渉電力情報とがある。いずれの干渉電力情報も、リソースブロック毎の送信電力制限値Ｐｎを決定するために利用可能である。
【００９５】
他セルからの被干渉がある場合、他セルからの信号が届きやすい状態にあることになる。したがって、被干渉があるリソースブロックについては、自セルにおいて使用した場合、他セルに対して干渉を与えるおそれがある。
このため、他セル（マクロセル）の通信を阻害しない観点からは、自セルにおいては、そのリソースブロックの送信電力は小さくすべきである。
【００９６】
また、他セルへの与干渉があるリソースブロックについても、他セル（マクロセル）の通信を阻害しない観点からは、自セルにおいては、そのリソースブロックの送信電力は小さくすべきである。
【００９７】
基地局装置１のＰＨＹ部２０は、自セルにおける通信を休止して、他セル（マクロセル）の基地局装置１ａ−端末装置２ａ間の通信を傍受（ｓｎｉｆｆｉｎｇ）し、他セルからの信号のリソースブロック毎の受信電力を測定するメジャメント部２１を備えている。他セルからの信号の受信電力の大きさは、被干渉電力の大きさを示している。
そこで、前記ＰＨＹ測定情報制御部１８では、ＭＡＣ部３０を介さずに、前記メジャメント部２１から他セルからの信号のリソースブロック毎の受信電力を取得して、リソースブロック毎の被干渉電力情報を生成し、その被干渉電力情報（スケジューリング用情報）を、電力制限制御部１６に与える。
【００９８】
また、他セルからの被干渉電力は、自セルの端末装置１ｂによって測定させ、それを基地局装置１がＣＱＩレポートとして受け取っても良い。前記ＣＱＩ情報制御部１５は、端末装置１ｂから受け取ったＣＱＩレポートを、ＭＡＣ部３０を介さずに、ＰＨＹ部２０から取得して、リソースブロック毎の被干渉電力情報を生成し、その被干渉電力情報を、電力制限制御部１６に与える。
【００９９】
さらに、本実施形態のＭＡＣスケジューラ１０は、他セルからの被干渉電力情報だけではなく、他セル（マクロセル）において測定された被干渉電力情報（スケジューリング用情報）を、当該他セルを形成する他の基地局装置（マクロＢＳ）から、Ｘ２インターフェースを介して取得する。
【０１００】
他セル（マクロセル）において測定された被干渉電力は、自セル（フェムトセル）からの与干渉電力の大きさを示している。
そこで、ＲＲＭ７０のスケジュール情報管理部７４は、Ｘ２インターフェースを介して、他の基地局装置から被干渉電力情報を取得し、ＭＡＣ部３０を介さずに、ＭＡＣスケジューラ１０のＸ２情報制御部１７に送信する。
Ｘ２情報制御部１７は、他セル（マクロセル）において測定された被干渉電力の大きさに基づいて、他の基地局装置（マクロＢＳ）への与干渉電力の大きさを示す与干渉電力情報を生成し、その与干渉電力情報（スケジューリング用情報）を電力制限制御部１６に与える。
【０１０１】
なお、ＣＱＩ情報制御部１５及びＰＨＹ測定情報制御部１８は、自セルの被干渉電力情報を、ＭＡＣ部３０を介さずに、ＲＲＭ７０（のスケジュール情報管理部７４）に与える。ＲＲＭ７０は、自セルの被干渉電力情報を、Ｘ２インターフェースを介して、他の基地局装置へ送信する。当該他の基地局装置では、受信した前記被干渉情報を、自セルへの与干渉電力情報として用いてスケジューリングを行うことができる。
【０１０２】
さて、前記電力制限制御部１６では、各リソースブロックについて、被干渉電力情報及び／又は与干渉電力情報が示す干渉電力が大きいほど、送信電力制限値（上限値）Ｐｎを低く抑え、前記干渉電力が小さいほど、送信電力制限値（上限値）Ｐｎが大きくなるように、リソースブロック毎の送信電力制限値（上限値）Ｐｎを決定する。送信電力制限値Ｐｎは、干渉電力情報に基づき、自セルの送信電力が、他セルに干渉を与えない大きさに収まるように決定される。
【０１０３】
図５に示すように本実施形態のスケジューラ本体部１１は、制御領域スケジューラ１１ａ、ＶｏＩＰスケジューラ（音声・動画系スケジューラ）１１ｂ、ＨＲＱスケジューラ（再送用スケジューラ）１１ｃ、及びデータ情報スケジューラ１１ｄを備えている。
【０１０４】
制御領域スケジューラ１１ａは、各端末装置に対して共通して与えられる制御情報を格納する制御領域を確保するためのものである。
ＶｏＩＰスケジューラ１１ｂ、ＨＲＱスケジューラ（再送用スケジューラ）１１ｃ、及びデータ情報スケジューラ１１ｄは、いずれも各端末装置宛のユーザデータを格納する領域を確保して、リソースブロック割り当てを行うものである。
【０１０５】
ＶｏＩＰスケジューラ１１ｂ、ＨＲＱスケジューラ（再送用スケジューラ）１１ｃ、及びデータ情報スケジューラ１１ｄは、いずれも、送信電力制限値Ｐｎを用いて、スケジューリングを行う。一方、制御領域スケジューラ１１ａは送信電力制限値Ｐｎを用いない。
【０１０６】
図６は、前記データ情報スケジューラ１１ｄを示している。このデータ情報スケジューラ１１ｄは、Ｑｏｓ情報に応じた重み付けスループットの和を最大化（スループット最適化）するように、各端末装置へのリソースブロック割り当てと、リソースブロック毎の送信電力を決定する。
【０１０７】
より具体的には、データ情報スケジューラ１１ｄは、図６中に示す評価関数の値（重み付けスループットの和）が、図６中に示す制約条件１〜３の下で、最大化するように、各端末装置へのリソースブロック割り当てＳｋと、リソースブロック毎の送信電力値ｐｋｎを調整する。スケジューラ１１ｄは、図６の評価関数を、凸線形計画問題として解くことができる。そして、評価関数が最大化したときのＳｋ及びｐｋｎが、スケジューラ１１ｄから出力される。
【０１０８】
図６中の制約条件１は、リソースブロック毎の送信電力ｐｋｎの総和が、規定の最大総電力Ｐｔｏｔを超えないようにするためのものである。規定の最大総電力Ｐｔｏｔは、ＰＨＹ部２０において実際に出力可能な電力の最大値であり、これを超える電力での送信は不可能である。
【０１０９】
図６中の制約条件２は、ある端末装置（ユーザ）ｋに対してあるリソースブロックｎが割り当てられる場合において、そのリソースブロックｎの送信電力値ｐｋｎが、当該リソースブロックｎの送信電力制限値（上限値）Ｐｎで規定される範囲に収まるようにするためのものである。送信電力値ｐｋｎが送信電力制限値（上限値）Ｐｎを超えないようにすることで、他セルへの干渉を防止できる適切な送信電力値ｐｋｎをリソースブロック毎に設定することができる。
【０１１０】
図６中の制約条件３は、ある端末装置（ユーザ）ｋ０が、あるリソースブロックｎを使用している場合、他の端末装置（ユーザ）ｋ（≠ｋ０）に対しては、そのリソースブロックｎを割り当てないためのものである。つまり、ある端末装置（ユーザ）ｋ０が、あるリソースブロックｎを使用している場合、そのリソースブロックの送信電力は０よりも大きくなり、そのときには、他の端末装置（ユーザ）ｋ（≠ｋ０）に対しては、そのリソースブロックｎの送信電力ｐｋｎとしては、「０」がセットされる。つまり、そのリソースブロックｎは、他の端末装置（ユーザ）ｋ（≠ｋ０）に対して割り当てられない。
【０１１１】
図６の評価関数によれば、各端末装置には、通信品質値（ＣＱＩ）の良好なリソースブロックが割り当てられるため、他セルからの被干渉を回避することができる。また、図６中の制約条件２によって、リソースブロック単位における送信電力制限が成されているため、他セルへの与干渉を防止することができる。
【０１１２】
図７は、前記ＶｏＩＰスケジューラ１１ｂを示している。なお、ＨＡＲＱスケジューラ１１ｃも同様の構成である。
ＶｏＩＰスケジューラ１１ｂは、端末装置（ユーザ）ｋのスループット（その端末装置に割り当てられる各リソースブロックにおけるスループットの和）が、規定スループットβｋとなる（又はβｋ以上となる）もののうち、送信電力値ｐｋｎが最小化（電力最適化）するように、各端末装置へのリソースブロック割り当てと、リソースブロック毎の送信電力を決定する。
【０１１３】
より具体的には、ＶｏＩＰスケジューラ１１ｂは、図７中に示す評価関数の値（リソースブロック毎の送信電力ｐｋｎの総和）が、図７中に示す制約条件１〜３の下で、最小化するように、各端末装置へのリソースブロック割り当てＳｋと、リソースブロック毎の送信電力値ｐｋｎを調整する。スケジューラ１１ｂは、図７の評価関数を、凸非線形計画問題として解くことができる。そして、評価関数が最小化したときのＳｋ及びｐｋｎが、スケジューラ１１ｂから出力される。
【０１１４】
図７中の制約条件１は、端末装置（ユーザ）ｋのスループット（その端末装置に割り当てられる各リソースブロックにおけるスループットの和）が、端末装置ｋ毎の規定スループットβｋとなる（又はβｋ以上となる）ようにするものである。ＶｏＩＰデータでは、スループットを可能な限り大きくすることよりも、円滑な通話のための最低限のスループット（規定スループット）が常に確保されることが重視される。この場合、スループット最大化よりも、規定スループットβｋを確保した上で、送信電力を小さくするのが効率的となる。
【０１１５】
図７中の制約条件２は、図６中の制約条件２と同じものである。この制約条件２によって、送信電力値ｐｋｎが送信電力制限値（上限値）Ｐｎを超えなくなり、他セルへの干渉を防止できる適切な送信電力値ｐｋｎをリソースブロック毎に設定することができる。
また、図７中の制約条件３も、図６中の制約条件３と同じものである。
【０１１６】
ＶｏＩＰスケジューラ１１ｂによって決定された割り当ては、Ｓｅｍｉ−Ｐｅｒｓｉｓｔｅｎｔ  Ｓｃｈｅｄｕｌｉｎｇにより、数フレーム分にわたって有効とされる。ＶｏＩＰスケジューラ１１ｂによってＶｏＩＰデータ用に確保されたリソースブロック以外の残りのリソースブロックが、他のユーザデータのために割り振られる。
【０１１７】
図５に戻り、スケジューラ１１に含まれる各スケジューラ１１ａ〜１１ｄについて説明する。
まず、制御領域スケジューラ１１ａが、サブフレーム中に、全端末装置に対して共通して与えられる制御情報が格納される制御領域（ＰＤＣＣＨ）を確保する。そして、制御領域スケジューラ１１ａは、制御領域（ＰＤＣＣＨ）として確保されたシンボル数を出力する。制御領域スケジューラ１１ａによる制御領域の確保は、数十ｍｓｅｃ周期（数十サブフレーム周期）で行われる。つまり、一旦確保された制御領域は、複数のサブフレームにわたって固定されたものとなる。
また、制御領域スケジューラ１１ａは、無線フレームの制御領域以外の他の領域を示す情報を、他のスケジューラ１１ｂ〜１１ｄが使用可能な領域の情報として、ＶｏＩＰスケジューラ１１ｂに通知する。
【０１１８】
ＶｏＩＰスケジューラ１１ｂは、通知された使用可能領域情報に基づいて、制御領域として確保されずに残った領域を認識し、その残った領域に含まれるリソースブロックの幾つかを、ＶｏＩＰデータを格納するＶｏＩＰ領域として確保する。ＶｏＩＰスケジューラ１１ｂは、先に説明した評価関数を用いて、ＶｏＩＰ領域として確保されるリソースブロック（及びその送信電力）を決定する。そして、ＶｏＩＰスケジューラ１１ｂは、ＶｏＩＰデータのためのＳｋ，ｐｋｎの情報を出力する。
【０１１９】
ＶｏＩＰスケジューラ１１ｂによるＶｏＩＰ領域の確保も、数十ｍｓｅｃ周期（数十サブフレーム周期）で行われる。つまり、一旦確保されたＶｏＩＰ領域は、複数のサブフレームにわたって固定されたものとなり、安定した通話が可能となる。
しかも、ＶｏＩＰデータを確保する領域は、他のユーザデータに先立って、優先的に確保されるため、この点からも安定した通話が可能である。
【０１２０】
ＶｏＩＰスケジューラ１１ｂは、無線フレームにおいて、制御領域及びＶｏＩＰ領域のいずれとしても確保されずに残った他の領域を示す情報を、他のスケジューラ１１ｃ，１１ｄが使用可能な領域の情報として、ＨＡＲＱスケジューラ１１ｃに通知する。
【０１２１】
ＨＡＲＱスケジューラ（再送用スケジューラ）１１ｃは、通知された使用可能領域情報に基づいて、制御領域及びＶｏＩＰ領域のいずれとしても確保されずに残った領域を認識し、その残った領域に含まれるリソースブロックの幾つかを、再送用のデータを格納する再送用データ領域として確保する。ＨＡＲＱスケジューラ１１ｃも、ＶｏＩＰスケジューラ１１ｂと同様に、ＨＡＲＱデータ領域として確保されるリソースブロック（及びその送信電力）を決定する。そして、ＨＡＲＱスケジューラ１１ｃは、ＨＡＲＱデータのためのＳｋ，ｐｋｎの情報を出力する。
【０１２２】
ＨＡＲＱスケジューラ１１ｃによるＨＡＲＱデータ領域の確保は、１ｍｓｅｃ周期（１サブフレーム周期）で行われる。再送用データは、送信の緊急性が高いため、他のユーザデータよりも優先して割り当てを決定することで、再送用データの確実な送信が可能となる。
【０１２３】
ＨＡＲＱスケジューラ１１ｃは、無線フレームにおいて、制御領域、ＶｏＩＰ領域、及び再送用データ領域のいずれとしても確保されずに残った他の領域を示す情報を、データ情報スケジューラ１１ｄが使用可能な領域の情報として、データ情報スケジューラ１１ｄに通知する。
【０１２４】
データ情報スケジューラ１１ｄは、通知された使用可能領域情報に基づいて、制御領域、ＶｏＩＰ領域、再送用データ領域のいずれとしても確保されずに残った領域を認識し、その残った領域に含まれるリソースブロックの幾つかを、ＶｏＩＰ及び再送用データ以外のユーザデータが格納される一般データ領域として確保する。
データ情報スケジューラ１１ｄは、先に説明した評価関数を用いて、一般データ領域として確保されるリソースブロック（及びその送信電力）を決定する。そして、データ情報スケジューラ１１ｄは、一般データのためのＳｋ，ｐｋｎの情報を出力する。
なお、データ情報スケジューラ１１ｄによる一般データ領域の確保も、１ｍｓｅｃ周期（１サブフレーム周期）で行われる。
【０１２５】
以上のように、制御領域以外の領域のリソースブロックを、ＶｏＩＰデータ、再送用データ、一般データの順で、割り当てることで、データの優先度に応じた割り当てが可能である。
なお、本実施形態のスケジューラ１１では、ＶｏＩＰデータ以外のユーザデータについての割り当て制御及び電力制御は、１ｍｓｅｃ毎（１サブフレーム）毎に行われるが、数サブフレーム毎に行っても良い。
【０１２６】
前述のようにして得られたスケジューリング結果（Ｓｋ，ｐｋｎ）等は、ＭＡＣ部３０を介さずにＰＨＹ部２０に与えられるほか、ＭＡＣ部３０を介さずにＲＲＭ７０に与えられ、Ｘ２インターフェースを介して、他の基地局装置に送信される。
【０１２７】
図８は、前述のような機能を有する基地局装置をフェムトＢＳ１ｂとして採用し、隣接するマクロセルへの干渉を防止した場合の電力割り当て例を示している。図８におけるマクロセルのユーザ（端末装置）Ｂは、セルエッジユーザ（フェムトセルの近傍に存在するユーザ）であり、フェムトセルにおける信号は、ユーザＢに対して干渉しやすい状況であるとする。
【０１２８】
この場合、マクロＢＳ１ａは、Ｘ２インターフェース経由で、フェムトＢＳ１ｂに対して、電力抑制の指示として、自セルにおけるスケジューリング結果（Ｓｋ，ｐｋｎ）やフェムトセルから受ける被干渉電力情報（干渉制御情報 ）を送信する。
【０１２９】
マクロＢＳ１ａから前記指示を受けたフェムトＢＳ１ｂは、Ｘ２情報制御部１７において、リソースブロック毎の与干渉電力情報を生成する。
さらに、電力制限制御部１６は、与干渉電力情報に基づいて、マクロセルのユーザＢに割り当てられているリソースブロックと同じリソースブロック（フェムトセルにおいてユーザＥに割り当てられているリソースブロック）についての電力制限情報Ｐｎを生成する。
スケジューラ１１は、この電力制限情報Ｐｎに基づいて、ユーザＥに割り当てられるリソースブロックの送信電力値ｐｋｎを小さくする。これにより、フェムトセルから、マクロセルへの干渉が防止される。
【０１３０】
なお、フェムトセルのユーザＦのように、マクロセルに対して干渉を与えないケースについても、送信電力値ｐｋｎが小さくなることがある。これは、図６の評価関数から明らかなように、通信チャネルの状態（通信品質；ＣＱＩ）の状況によっては、リソースブロックの送信電力が小さく抑えられる場合もあるからである。
【０１３１】
本実施形態によれば、マクロＢＳ１ａから前記指示を受けたフェムトＢＳ１ｂは、その指示に含まれる情報を、ＭＡＣ部３０を介さずに、ＲＲＭ７０から直接ＭＡＣスケジューラ１０に迅速に与えることができる。したがって、フェムトＢＳ１ｂでは、マクロＢＳ１ａのリソースブロック使用状況を反映したスケジューリングを迅速に行うことができる。
しかも、フェムトＢＳ１ｂは、自らのスケジューリング結果などを、マクロＢＳ１ａや他のフェムトＢＳ１ｂに対して、Ｘ２インターフェースを介して、迅速に送信することができるため、他のＢＳ１ａ，１ｂにおける迅速な対応も可能となる。
【０１３２】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【０１３３】
１      基地局装置
１ａ    マクロ基地局装置
１ｂ    フェムト基地局装置
２ａ    マクロ端末装置
２ｂ    フェムト端末装置
１０    ＭＡＣスケジューラ
１１    スケジューラ本体部
１１ａ  制御領域スケジューラ
１１ｂ  ＶｏＩＰスケジューラ
１１ｃ  ＨＡＲＱスケジューラ
１１ｄ  データ情報スケジューラ
１６  電力制限制御部
２０    ＰＨＹ部
３０    ＭＡＣ部
７０    ＲＲＭ（無線リソース管理部）
ＭＣ    マクロセル
ＦＣ    フェムトセル
【図１】
2011223102.tif 000003
【図２】
2011223102.tif 000004
【図３】
2011223102.tif 000005
【図４】
2011223102.tif 000006
【図５】
2011223102.tif 000007
【図６】
2011223102.tif 000008
【図７】
2011223102.tif 000009
【図８】
2011223102.tif 000010
【図９】
2011223102.tif 000011